【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
第１の撮像部で撮影された被写体の第１の撮影画像を取得する手段と、
前記第１の撮像部と光軸が重なる第２の撮像部で撮影された、前記被写体の第２の撮影画像を取得する手段と、
所定の画像成分に対する前記第１の撮像部の解像度と前記第２の撮像部の解像度とから求めた、当該画像成分に対する前記第１の撮影画像と前記第２の撮影画像との合成比率を示す比率情報を取得する比率取得手段と、
前記第１の撮影画像の前記所定の画像成分と、前記第２の撮影画像の前記所定の画像成分とを、前記比率情報に従って合成することで、前記第１の撮影画像と前記第２の撮影画像とを合成した合成画像を生成する合成手段とを備えることを特徴とする、画像処理装置。
【請求項２】
前記比率取得手段は、前記第１の撮像部の解像度と前記第２の撮像部の解像度との比を前記合成比率とすることを特徴とする、請求項１に記載の画像処理装置。
【請求項３】
前記所定の画像成分はＲＧＢ成分であり、
前記比率取得手段はＲＧＢ成分それぞれに対する前記比率情報を取得し、
前記合成手段は、前記第１の撮影画像及び前記第２の撮影画像のＲＧＢ成分それぞれを、ＲＧＢ成分それぞれに対する前記比率情報に従って合成することを特徴とする、請求項１又は２に記載の画像処理装置。
【請求項４】
前記所定の画像成分は像高であり、
前記比率取得手段は像高に対する前記比率情報を取得し、
前記合成手段は、前記第１の撮影画像及び前記第２の撮影画像の対応する画素のそれぞれを、当該画素のそれぞれの像高に対する前記比率情報に従って合成することを特徴とする、請求項１又は２に記載の画像処理装置。
【請求項５】
前記所定の画像成分はメリディオナル方向及びサジタル方向の空間周波数であり、
前記比率取得手段はメリディオナル方向及びサジタル方向の空間周波数に対する前記比率情報を取得し、
前記合成手段は、
前記第１の撮影画像を分割し、第１の部分画像とする第１の分割手段と、
前記第２の撮影画像を前記第１の分割手段と同様に分割し、第２の部分画像とする第２の分割手段と、
前記第１の部分画像を直交変換して第１の周波数空間画像を生成する手段と、
前記第２の部分画像を直交変換して第２の周波数空間画像を生成する手段と、
前記メリディオナル方向及びサジタル方向の空間周波数に対する前記比率情報を、前記周波数空間における前記比率情報に変換する手段と、
前記第１の周波数空間画像の成分と、対応する前記第２の周波数空間画像の成分とを、前記周波数空間における前記比率情報に従って合成して第３の周波数空間画像を生成する手段と、
前記第３の周波数空間画像を実空間へと変換し、第３の部分画像を生成する手段と、
前記第３の部分画像を統合して合成画像を生成する手段とを備えることを特徴とする、請求項１又は２に記載の画像処理装置。
【請求項６】
第１の撮像部で撮影された被写体の第１の撮影画像を取得する手段と、
前記第１の撮像部と光軸が重なる第２の撮像部で撮影された、前記被写体の第２の撮影画像を取得する手段と、
前記第１の撮影画像の各画素について、該画素についての合成比率を与えるフィルタを取得し、該フィルタを用いたコンボリューション演算により第１の合成比率を計算する手段と、
前記第２の撮影画像の各画素について、該画素についての合成比率を与えるフィルタを取得し、該フィルタを用いたコンボリューション演算により第２の合成比率を計算する手段と、
前記第１の撮影画像と前記第２の撮影画像との対応する画素を、前記第１の合成比率と前記第２の合成比率との割合で合成することで、合成画像を生成する合成手段とを備えることを特徴とし、
前記フィルタのそれぞれは、画素周辺の空間周波数成分と、当該空間周波数に対する前記第１及び第２の撮像部の解像度とに応じて、合成比率を与えることを特徴とする画像処理装置。
【請求項７】
撮像部を駆動して、当該撮像部を第１の構成又は第２の構成とする駆動手段と、
前記第１の構成の撮像部によって撮影された被写体の第１の撮影画像を取得する手段と、
前記第１の構成の撮像部と光軸が重なる前記第２の構成の撮像部によって撮影された、前記被写体の第２の撮影画像を取得する手段と、
所定の画像成分に対する前記第１の撮像部の解像度と前記第２の撮像部の解像度とから求めた、当該画像成分に対する前記第１の撮影画像と前記第２の撮影画像との合成比率を示す比率情報を取得する比率取得手段と、
前記第１の撮影画像の前記所定の画像成分と、前記第２の撮影画像の前記所定の画像成分とを、前記比率情報に従って合成することで、前記第１の撮影画像と前記第２の撮影画像とを合成した合成画像を生成する合成手段とを備えることを特徴とする、画像処理装置。
【請求項８】
前記駆動手段は、前記撮像部の撮像素子と、前記撮像部のレンズとの間の距離を変化させることを特徴とする、請求項７に記載の画像処理装置。
【請求項９】
画像処理装置が行う方法であって、
第１の撮像部で撮影された被写体の第１の撮影画像を取得する工程と、
前記第１の撮像部と光軸が重なる第２の撮像部で撮影された、前記被写体の第２の撮影画像を取得する工程と、
所定の画像成分に対する前記第１の撮像部の解像度と前記第２の撮像部の解像度とから求めた、当該画像成分に対する前記第１の撮影画像と前記第２の撮影画像との合成比率を示す比率情報を取得する比率取得工程と、
前記第１の撮影画像の前記所定の画像成分と、前記第２の撮影画像の前記所定の画像成分とを、前記比率情報に従って合成することで、前記第１の撮影画像と前記第２の撮影画像とを合成した合成画像を生成する合成工程とを備えることを特徴とする、画像処理方法。
【請求項１０】
画像処理装置が行う方法であって、
第１の撮像部で撮影された被写体の第１の撮影画像を取得する工程と、
前記第１の撮像部と光軸が重なる第２の撮像部で撮影された、前記被写体の第２の撮影画像を取得する工程と、
前記第１の撮影画像の各画素について、該画素についての合成比率を与えるフィルタを取得し、該フィルタを用いたコンボリューション演算により第１の合成比率を計算する工程と、
前記第２の撮影画像の各画素について、該画素についての合成比率を与えるフィルタを取得し、該フィルタを用いたコンボリューション演算により第２の合成比率を計算する工程と、
前記第１の撮影画像と前記第２の撮影画像との対応する画素を、前記第１の合成比率と前記第２の合成比率との割合で合成することで、合成画像を生成する合成工程とを備えることを特徴とし、
前記フィルタのそれぞれは、画素周辺の空間周波数成分と、当該空間周波数に対する前記第１及び第２の撮像部の解像度とに応じて、合成比率を与えることを特徴とする画像処理方法。
【請求項１１】
画像処理装置が行う方法であって、
撮像部を駆動して、当該撮像部を第１の構成又は第２の構成とする駆動工程と、
前記第１の構成の撮像部によって撮影された被写体の第１の撮影画像を取得する工程と、
前記第１の構成の撮像部と光軸が重なる前記第２の構成の撮像部によって撮影された、前記被写体の第２の撮影画像を取得する工程と、
所定の画像成分に対する前記第１の撮像部の解像度と前記第２の撮像部の解像度とから求めた、当該画像成分に対する前記第１の撮影画像と前記第２の撮影画像との合成比率を示す比率情報を取得する比率取得工程と、
前記第１の撮影画像の前記所定の画像成分と、前記第２の撮影画像の前記所定の画像成分とを、前記比率情報に従って合成することで、前記第１の撮影画像と前記第２の撮影画像とを合成した合成画像を生成する合成工程とを備えることを特徴とする、画像処理方法。
【請求項１２】
コンピュータを、請求項１乃至８の何れか１項に記載の画像処理装置の各手段として機能させるための、コンピュータプログラム。
【請求項１３】
請求項１２に記載のコンピュータプログラムを格納した、コンピュータが読み取り可能な記憶媒体。